(57)【要約】【課題】誤動作及び制御の不具合を抑制し、適切な照明の制御を確保することができる照明制御装置、照明器具及び照明制御方法を提供する。【解決手段】照明制御装置１０は、周囲の照度を監視するとともに照明負荷４を通常は消灯状態とする第１の制御状態に制御し、照度検知手段３１の検出により周囲の照度が所定の照度以下になった場合に、照明負荷４を予め設定された第１の所定時間点灯状態に維持し、この第１の所定時間経過後、人体検知手段３２により人体の存在を検出した場合に、その検出結果に応じて照明負荷を点灯／消灯状態とする第２の制御状態に制御し、この第２の制御状態から予め設定された第２の所定時間をカウントし、第２の所定時間経過後、前記第１の制御状態へ移行するように制御する制御処理手段１１を備えている。【選択図】図６
2017016892.tif 000002
【特許請求の範囲】
【請求項１】
周囲の照度を検出する照度検知手段と、
人体の存在を検出する人体検知手段と、
周囲の照度を監視するとともに照明負荷を通常は消灯状態とする第１の制御状態に制御し、前記照度検知手段の検出により周囲の照度が所定の照度以下になった場合に、照明負荷を予め設定された第１の所定時間点灯状態に維持し、この第１の所定時間経過後、前記人体検知手段により人体の存在を検出した場合に、その検出結果に応じて照明負荷を点灯／消灯状態とする第２の制御状態に制御し、この第２の制御状態から予め設定された第２の所定時間をカウントし、第２の所定時間経過後、前記第１の制御状態へ移行するように制御する制御処理手段と、
を具備することを特徴とする照明制御装置。
【請求項２】
前記制御処理手段は、前記第２の制御状態にあって、周囲の照度が所定の照度以上になり、その照度が予め設定された第３の所定時間継続された場合、前記第１の制御状態へ移行するように制御することを特徴とする請求項１に記載の照明制御装置。
【請求項３】
前記照明負荷を予め設定された第１の所定時間点灯状態に維持する場合の点灯状態は、全光点灯又は調光点灯であることを特徴とする請求項１又は請求項２に記載の照明制御装置。
【請求項４】
請求項１乃至請求項３のいずれか一に記載の照明制御装置と、
この照明制御装置によって制御される照明負荷と、
前記照明制御装置及び照明負荷が配設される器具本体と、
を具備することを特徴とする照明器具。
【請求項５】
照度検知手段により周囲の照度を検出するとともに人体検知手段により人体の存在を検出する照明制御方法であって、
周囲の照度を監視するとともに照明負荷を通常は消灯状態とする第１の制御状態に制御するステップと、
前記照度検知手段の検出により周囲の照度が所定の照度以下になった場合に、照明負荷を予め設定された第１の所定時間点灯状態に維持するステップと、
前記第１の所定時間経過後、前記人体検知手段により人体の存在を検出した場合に、その検出結果に応じて照明負荷を点灯／消灯する第２の制御状態に移行するステップと、
この第２の制御状態から予め設定された第２の所定時間をカウントし、この第２の所定時間経過後、前記第１の制御状態へ移行するように制御するステップと、
を具備することを特徴とする照明制御方法。
【発明の詳細な説明】
【技術分野】
【０００１】
本発明の実施形態は、周囲の照度に応じて適切に照明を制御する照明制御装置、照明器具及び照明制御方法に関する。
【背景技術】
【０００２】
従来、例えば、玄関の外壁面に取り付けられて使用される照明器具において、消費電力の低減、安全性や防犯上の有用性を確保する観点から、照度センサ及び人感センサを設けて照明を制御することが知られている。照度センサにより周囲の照度を検出し、また、人感センサにより人体の存在を検出し、照度センサ及び人感センサの双方を用いることによって照明を適切に制御しようとするものである。
【先行技術文献】
【特許文献】
【０００３】
【特許文献１】特開平２−１５５９６号公報
【特許文献２】特開平３−６７４９２号公報
【特許文献３】特許第２５８００５８号公報
【特許文献４】特開平１０−２０８８８５号公報
【特許文献５】特開２０１４−２２１１２号公報
【発明の概要】
【発明が解決しようとする課題】
【０００４】
上記のような照明器具においては、照度センサが周囲の照度を検出し、周囲の照度が低下する（暗くなる）と光源を全光点灯して照明を制御するように動作する。
【０００５】
しかしながら、この場合、照明器具の設置環境によっては、光源から放射された光が壁面や床面等に反射されて、その光が照度センサによって検出され、周囲が明るいと認識されて光源が消灯してしまうという状態が発生する。具体的には、光源が点灯したり、消灯したりする繰り返しの誤動作が生じる。
【０００６】
また、照度センサ及び人感センサにより、生活環境に応じて照明を適切に制御することが試みられているが、例えば、周囲の明暗の状況によっては、制御に不具合が生じるという課題が発生する。
【０００７】
本発明は、上記課題に鑑みなされたもので、誤動作及び制御の不具合を抑制し、適切な照明の制御を確保することができる照明制御装置、照明器具及び照明制御方法を提供することを目的とする。
【課題を解決するための手段】
【０００８】
請求項１に記載の照明制御装置は、周囲の照度を検出する照度検知手段と、人体の存在を検出する人体検知手段と、周囲の照度を監視するとともに照明負荷を通常は消灯状態とする第１の制御状態に制御し、前記照度検知手段の検出により周囲の照度が所定の照度以下になった場合に、照明負荷を予め設定された第１の所定時間点灯状態に維持し、この第１の所定時間経過後、前記人体検知手段により人体の存在を検出した場合に、その検出結果に応じて照明負荷を点灯／消灯状態とする第２の制御状態に制御し、この第２の制御状態から予め設定された第２の所定時間をカウントし、第２の所定時間経過後、前記第１の制御状態へ移行するように制御する制御処理手段と、を具備することを特徴とする。
かかる発明によれば、誤動作及び制御の不具合を抑制し、適切な照明の制御を確保することができる。
【０００９】
請求項２に記載の照明制御装置は、請求項１に記載の照明制御装置において、前記制御処理手段は、前記第２の制御状態にあって、周囲の照度が所定の照度以上になり、その照度が予め設定された第３の所定時間継続された場合、前記第１の制御状態へ移行するように制御することを特徴とする。
【００１０】
請求項３に記載の照明制御装置は、請求項１又は請求項２に記載の照明制御装置において、前記照明負荷を予め設定された第１の所定時間点灯状態に維持する場合の点灯状態は、全光点灯又は調光点灯であることを特徴とする。
【００１１】
請求項４に記載の照明器具は、請求項１乃至請求項３のいずれか一に記載の照明制御装置と、この照明制御装置によって制御される照明負荷と、前記照明制御装置及び照明負荷が配設される器具本体と、を具備することを特徴とする。
照明器具としては、格別特定のものに限定されず、屋内及び屋外で使用される各種照明器具に適用することができる。
【００１２】
請求項５に記載の照明制御方法は、照度検知手段により周囲の照度を検出するとともに人体検知手段により人体の存在を検出する照明制御方法であって、周囲の照度を監視するとともに照明負荷を通常は消灯状態とする第１の制御状態に制御するステップと、前記照度検知手段の検出により周囲の照度が所定の照度以下になった場合に、照明負荷を予め設定された第１の所定時間点灯状態に維持するステップと、前記第１の所定時間経過後、前記人体検知手段により人体の存在を検出した場合に、その検出結果に応じて照明負荷を点灯／消灯する第２の制御状態に移行するステップと、この第２の制御状態から予め設定された第２の所定時間をカウントし、この第２の所定時間経過後、前記第１の制御状態へ移行するように制御するステップと、を具備することを特徴とする。
【発明の効果】
【００１３】
本発明の実施形態によれば、誤動作及び制御の不具合を抑制し、適切な照明の制御を確保することができる照明制御装置、照明器具及び照明制御方法を提供することが可能となる。
【図面の簡単な説明】
【００１４】
【図１】本発明の実施形態に係る照明器具を示す斜視図である。
【図２】同照明制御装置を示すブロック構成図である。
【図３】同照明制御装置におけるＯＮ／ＯＦＦ動作モードの模式的タイムチャートである。
【図４】同照明制御装置におけるＯＮ／ＯＦＦ動作モードの動作を示すフローチャートである。
【図５】同照明制御装置における８時間タイマー動作モードの模式的タイムチャートである。
【図６】同照明制御装置における８時間タイマー動作モードの動作を示すフローチャートである。
【図７】同照明制御装置における８時間調光動作モードの模式的タイムチャートである。
【図８】同照明制御装置における８時間調光動作モードの動作を示すフローチャートである。
【発明を実施するための形態】
【００１５】
以下、本発明の実施形態に係る照明制御装置、照明器具及び照明制御方法について図１乃至図８を参照して説明する。
【００１６】
図１は、照明器具を示し、図２は、照明制御装置のブロック構成図を示している。また、図３は、ＯＮ／ＯＦＦ動作モードにおける模式的タイムチャート、図４は、ＯＮ／ＯＦＦ動作モードにおける動作を示すフローチャート、図５は、８時間タイマー動作モードにおける模式的タイムチャート、図６は、８時間タイマー動作モードにおける動作を示すフローチャートである。さらに、図７は、８時間調光動作モードにおける模式的タイムチャート、図８は、８時間調光動作モードにおける動作を示すフローチャートである。
【００１７】
図１において、照明器具１は、玄関等の壁面に取り付けられて使用されるブラケットタイプの照明器具であり、器具本体２、センサ装置３、照明負荷である光源４及びグローブ５を備えている。
【００１８】
器具本体２は、アルミダイカスト加工によって形成された短円筒状の本体部材２１と、箱状に形成されたフランジ部材２２とから構成されている。本体部材２１内には、光源４が接続されるソケットや配線が配設され、フランジ部材２２には、センサ装置３、電源端子台や配線が配設されている。また、このフランジ部材２２が壁面等に固定されて照明器具１が設置される。
【００１９】
センサ装置３は、周囲の照度を検出する照度検知手段３１と、人体の存在を検出する人体検知手段３２とを備えてユニット化されている。具体的には、照度検知手段３１は、照度センサを有し、この照度センサには光電変換素子であるフォトダイオードが用いられている。人体検知手段３２は、集電型赤外線センサの人感センサを有し、この人感センサには焦電素子が用いられている。また、これら照度センサ及び人感センサは、フランジ部材２２から外方に突出する焦光レンズ３３によってカバーされている。さらに、センサ装置３には、後述する動作モードを選択するモード選択手段として図示しない選択スイッチが設けられている。
【００２０】
光源４は、グローブ５内に収容されている。光源４は、例えば、電球形ＬＥＤランプであり、Ｅ型の口金を有しており、本体内に、基板に実装された複数のＬＥＤ及びＬＥＤを点灯制御する点灯回路を備えている。この電球形ＬＥＤランプがソケットに装着され商用交流電源から給電されることによって点灯する。なお、光源としては、電球形ＬＥＤランプに格別限定されるものではない。電球形蛍光ランプ、白熱電球や口金を有しない直接電源線を接続するタイプのＬＥＤモジュール等を適用できる。
グローブ５は、透光性を有する軟質ガラス材料等でボール状に形成されており、光源４を覆うように本体部材２１にねじ嵌合されて取り付けられている。
【００２１】
次に、図２を参照して照明制御装置のブロック構成について説明する。図２に示すように、照明制御装置１０は、制御処理手段１１、照度検知手段３１、人体検知手段３２、モード選択手段１２、負荷駆動回路１３及び電源回路１４から構成されている。この照明制御装置１０には商用交流電源に接続された照明負荷としての光源４が接続されている。
【００２２】
制御処理手段１１は、照明制御装置１０の全体の制御を実行する機能を有し、半導体素子を用いたハードウェア回路やマイクロコンピュータによって構成されている。
【００２３】
照度検知手段３１は、照度センサを有し、周囲の明るさを測定して検出信号を出力する手段であり、この検出信号によって負荷駆動回路１３を制御し、光源４の点灯／消灯を行う。したがって、周囲が明るく照度が高い場合には、光源４は消灯状態となる。一方、所定の照度より低く周囲が暗い場合には、光源４は点灯状態となる。
【００２４】
人体検知手段３２は、人感センサを有し、人体からの赤外線を検出することによって人体の存在を検出する手段である。人体検知手段３２は、人感センサとしての焦電素子と、増幅回路と、比較回路とを備えている。人体から発せられる赤外線が集光レンズ３３によって焦電素子に集光されると、焦電素子から検出信号が出力される。この出力は、増幅回路で増幅され、比較回路でその信号レベルが予め定められた基準レベルと比較され、比較結果が人体の検出信号として出力される。したがって、人体の検出信号が出力されると、光源４は点灯される。
【００２５】
モード選択手段１２は、照明制御の動作モードを選択する手段である。本実施形態においては、３種類の動作モードをセンサ装置３に設けられたスライド操作式の選択スイッチを切り換え操作することによって選択することができる。
【００２６】
具体的に３種類の動作モードは、第１の動作モードとして「ＯＮ／ＯＦＦ動作モード」、第２の動作モードとして「８時間タイマー動作モード」及び第３の動作モードとして「８時間調光動作モード」である。
【００２７】
概略的には「ＯＮ／ＯＦＦ動作モード」は、周囲が所定の照度より低く暗くなった状態で、人体の存在が検出されると光源４を点灯し、人体の存在が検出されなくなると光源４を消灯制御するモードである。「８時間タイマー動作モード」は、周囲が所定の照度より低く暗くなると、光源４を８時間の強制全光点灯（調光レベル１００％）状態に維持し、その後、「ＯＮ／ＯＦＦ動作モード」の状態に移行するモードである。「８時間調光動作モード」は、周囲が所定の照度より低く暗くなると、光源４を８時間調光点灯（調光レベル２５％）状態に維持するとともに、この状態で人体の存在が検出されると光源４を全光点灯し、人体の存在が検出されなくなると光源４を元の調光点灯状態とし、その後、「ＯＮ／ＯＦＦ動作モード」の状態に移行するモードである。
【００２８】
これら３種類の動作モードは、選択スイッチを切り換えることにより、各モード信号が制御処理手段１１へ送信され、制御処理手段１１で各モード信号に応じた制御信号が生成され、負荷駆動回路１３が駆動されて、光源４が点灯／消灯制御されるようになっている。
【００２９】
負荷駆動回路１３は、スイッチング素子等によって構成され、光源４への電力の供給を制御し、光源４を点灯／消灯する機能を有する。なお、電源回路１４は、照明制御装置１０における規定の電圧を確保する回路である。
【００３０】
次に、照明制御装置及び照明制御方法について、各動作モードにおける動作態様を図３乃至図８を参照して説明する。動作は制御処理手段１１を中心として実行される。なお、図３、図５及び図７のタイムチャートにおいては、説明上、時間幅（横軸）の厳密な整合性はとっていない。
（ＯＮ／ＯＦＦ動作モード）
【００３１】
ＯＮ／ＯＦＦ動作モードを図３及び図４を併せて参照して説明する。図３（ａ）は電源のＯＮ、ＯＦＦ、図３（ｂ）は周囲の照度の明暗、図３（ｃ）は人体の検知、非検知、図３（ｄ）は負荷出力のＯＮ、ＯＦＦについて横軸を時間軸として示している。
【００３２】
図３（ａ）に示すように電源を投入し、スタートすると図３（ｄ）に示すように負荷出力がｔ１の間、具体的には６０秒間ＯＮし、光源４が６０秒間セットアップ点灯する（ステップＳ１）。セットアップ点灯により、セットアップが視覚的に確認できるものであり、このセットアップ点灯は照度検知手段３１、人体検知手段３２の検出に無関係に６０秒間光源４が点灯し、その後消灯する。
【００３３】
したがって、点灯後、６０秒を経過すると（ステップＳ２）、図３（ｄ）のｔ２で示すように第１の制御状態としての通常消灯状態に制御され、センサ装置３の動作が開始される（ステップ３）。通常消灯状態は、周囲の照度を照度センサによって常に監視するとともに通常（所定の明るさの照度）においては、光源４を消灯状態とする制御状態である。この通常消灯状態においては、人感センサにより人体の存在が検出されても光源４は点灯しない。
【００３４】
通常消灯状態において、周囲の照度が低下し所定の照度以下、具体的には１５（ルクス）ｌｘ以下になると（ステップＳ４）、図３（ｄ）のｔ３で示すようにＯＮ／ＯＦＦ動作モード状態（ステップＳ５）となる。このＯＮ／ＯＦＦ動作モード状態では、人感センサにより人体の存在が検出された場合に光源４を点灯するように動作する待機消灯状態にある（ステップＳ６）。
【００３５】
待機消灯状態において、人感センサにより人体の存在が検出されると（ステップＳ７）、光源４が点灯される（ステップＳ８）。この点灯状態は、全光点灯（調光レベル１００％）であり、人体の存在の検出がなくなってから図３（ｄ）のｔ４で示すように６０秒間点灯が継続され（ステップＳ９）、その後、待機消灯状態となる（ステップＳ６）。
【００３６】
また、待機消灯状態において（ステップＳ６）、周囲が明るくなり照度が上昇し所定の照度以上、具体的には４５（ルクス）ｌｘ以上になると（ステップＳ１０）、第１の制御状態（通常消灯状態）（ステップＳ３）に戻るように動作する。
【００３７】
以上のようにＯＮ／ＯＦＦ動作モードによれば、周囲の照度が所定の照度以下であって、人体の存在が検出された場合にのみ光源４を点灯するように動作するので、消費電力を低減して有用性を確保することができる。
（８時間タイマー動作モード）
【００３８】
８時間タイマー動作モードを図５及び図６を併せて参照して説明する。図５（ａ）乃至図５（ｄ）は、図３と同様に、電源のＯＮ、ＯＦＦ、周囲の照度の明暗、人体の検知、非検知、負荷出力のＯＮ、ＯＦＦについて横軸を時間軸として示している。なお、前述のＯＮ／ＯＦＦ動作モードと同一又は相当部分には同一符号を付し重複する説明を省略する場合がある。
【００３９】
電源を投入して、スタートから周囲の照度が低下し、１５（ルクス）ｌｘ以下になるまでのステップはＯＮ／ＯＦＦ動作モードと同様である（図５（ｄ）におけるｔ１、ｔ２、図６におけるスタート、ステップＳ１からステップＳ４まで）。
【００４０】
通常消灯状態において、周囲の照度が低下し、１５（ルクス）ｌｘ以下になると（ステップＳ４）、図５（ｄ）のｔ５で示すように８時間タイマー動作モード状態（ステップS５、ステップ６）となる。この８時間タイマー動作モード状態では、光源４が予め設定された第１の所定時間としての８時間の強制全光点灯（調光レベル１００％）状態に維持される。８時間タイマー動作モード状態は、８時間光源４が連続点灯するものであり、この間は、照度センサ、人感センサは動作しない。
【００４１】
８時間を経過すると（ステップＳ６）、図５（ｄ）のｔ３で示すように第２の制御状態としてのＯＮ／ＯＦＦ動作モード状態（ステップＳ７）となる。このＯＮ／ＯＦＦ動作モード状態では、人体検知手段３２、つまり、人感センサにより人体の存在を検出した場合に、その検出結果に応じて光源４を点灯／消灯するように動作する待機消灯状態にある（ステップＳ８）。
【００４２】
この待機消灯状態では、照度センサによって周囲の照度を監視しており、周囲が明るくなり照度が上昇し所定の照度以上、具体的には４５（ルクス）ｌｘ以上になったか否かを監視している（ステップＳ９）。
【００４３】
照度が４５（ルクス）ｌｘ以上になっていない場合には、図５（ｄ）のｔ３で示すようにＯＮ／ＯＦＦ動作モード状態で動作する。つまり、人感センサにより人体の存在が検出されると（ステップＳ１０）、光源４が全光点灯（調光レベル１００％）され（ステップＳ１１）、人体の存在の検出がなくなってから図５（ｄ）のｔ４で示すように６０秒間点灯が継続され（ステップＳ１２）、その後、待機消灯状態となる（ステップＳ８）。
【００４４】
また、照度が４５（ルクス）ｌｘ以上になっている場合、図５（ｄ）のｔ６で示すように、その照度が予め設定された第３の所定時間としての１時間が継続しているか否かを判断し（ステップＳ１３）、１時間が継続しているとき（ステップＳ１３）には、周囲が明るくなったと判断し、通常消灯状態に戻るように動作する（ステップＳ３）。この照度が４５（ルクス）ｌｘ以上になっている場合には、人感センサによる人体の存在の検出での光源４の点灯は行われない。
【００４５】
さらに、ＯＮ／ＯＦＦ動作モード状態における待機消灯状態から時間のカウントを開始し、予め設定された第２の所定時間としての１０時間を経過しているか否かを判断し（ステップＳ１４）、１０時間を経過している場合には、通常消灯状態（ステップＳ３）に戻るように動作する。また、照度が４５（ルクス）ｌｘ以上になっていない場合において、人感センサにより人体の存在が検出され、光源４が全光点灯している間（ステップＳ１１）に第２の所定時間としての１０時間が経過した場合には、６０秒間点灯が継続され（ステップＳ１２）、その後、通常消灯状態となる（ステップＳ１４、ステップＳ３）。
【００４６】
このように照度が４５（ルクス）ｌｘ以上が１時間継続した場合（ステップＳ１３）又は待機消灯状態から１０時間経過した場合に（ステップＳ１４）、第１の制御状態（通常消灯状態）（ステップＳ３）に戻るように動作する。
【００４７】
８時間タイマー動作モードでは、例えば、日没（午後４時〜６時と仮定）で暗くなり、周囲の照度が１５（ルクス）ｌｘ以下になると、光源４が８時間の全光点灯状態となる。この点灯状態は、日没を午後４時とすれば、午後４時から午後１２時まで、午後６時とすれば、午後６時から午前２時までとなる。その後は、深夜の人の出入りがほとんどないと考えられる時間帯であり、ＯＮ／ＯＦＦ動作モード状態で人感センサにより人体の存在が検出されはときのみ光源４が点灯するようになる。
【００４８】
また、このＯＮ／ＯＦＦ動作モード状態において、周囲の照度が４５（ルクス）ｌｘ以上が１時間継続した場合には、周囲が明るい昼の時間帯になったと判断し、通常消灯状態に戻る。
【００４９】
加えて、待機消灯状態から１０時間経過した場合にも第１の制御状態（通常消灯状態）に戻る。この１０時間経過は、待機消灯状態の時点が午後１２時であれば午前１０時、午前２時であれば昼の午前１２時となり、昼であることの確実性の高い時間帯となる。
【００５０】
これは、日出（朝）となっても曇天等の場合、周囲の照度が４５（ルクス）ｌｘ以上が１時間継続しない可能性があり、この場合、ＯＮ／ＯＦＦ動作モード状態が継続し、第１の制御状態（通常消灯状態）に戻れなくなってしまう状態となる。したがって、一日中暗い状態のまま、日没になっても光源４が点灯状態にならず、人感センサにより人体の存在が検出されはときのみ光源４が点灯する状態が継続する。
【００５１】
本実施形態では、待機消灯状態から１０時間経過した場合（日出後の朝、昼）に第１の制御状態（通常消灯状態）に戻るように動作するので、前記のような制御の不具合を抑制することができる。
【００５２】
以上のように８時間タイマー動作モードによれば、光源４が第１の所定時間として８時間連続点灯するので、光源から放射された光が壁面や床面等に反射されて、その光が照度センサによって検出され、周囲が明るいと認識されて光源が消灯してしまい、光源が点灯したり、消灯したりする繰り返しの誤動作が生じるのを回避することができる。
【００５３】
また、ＯＮ／ＯＦＦ動作モード状態において、周囲の照度が４５（ルクス）ｌｘ以上が１時間継続した場合には、周囲が明るく、昼の時間帯であると判断できるので、第１の制御状態（通常消灯状態）に戻り、消灯状態とすることができる。
【００５４】
さらに、第２の制御状態としてのＯＮ／ＯＦＦ動作モード状態における待機消灯状態から１０時間経過した場合に第１の制御状態としての通常消灯状態に戻るように動作するので、ＯＮ／ＯＦＦ動作モード状態が不用意に継続してしまうことを回避できる。
よって、誤動作及び制御の不具合を抑制し、標準的な日出、日没の時間帯に適合した適切な照明の制御を確保することができる。
【００５５】
なお、本実施形態において、周囲の照度が４５（ルクス）ｌｘ以上が１時間継続した場合に第１の制御状態（通常消灯状態）に戻る動作を備えていることが好ましいが必ずしも不可欠な動作ではない。待機消灯状態から１０時間経過した場合に通常消灯状態に戻る動作を備えていれば足りる場合がある。
（８時間調光動作モード）
【００５６】
８時間調光動作モードを図７及び図８を併せて参照して説明する。図７（ａ）乃至図７（ｄ）は、図３と同様に、電源のＯＮ、ＯＦＦ、周囲の照度の明暗、人体の検知、非検知、負荷出力のＯＮ、ＯＦＦについて横軸を時間軸として示している。なお、前述の８時間タイマー動作モードと同一又は相当部分には同一符号を付し重複する説明を省略する。
【００５７】
８時間調光動作モードは、前述の８時間タイマー動作モードと基本的な動作は同じである。異なるのは、８時間タイマー動作モードにおいては、光源４が第１の所定時間として８時間の強制全光点灯（調光レベル１００％）状態に維持されるのに対し、８時間調光動作モードにおいては、図７（ｄ）のｔ５で示すように光源４が第１の所定時間としての８時間の調光点灯（調光レベル２５％）状態に維持される（ステップＳ１５）。
【００５８】
また、この８時間の調光点灯状態では、人体の存在が検出されると光源４を全光点灯し、人体の存在が検出されなくなると光源４を元の調光点灯状態とする。つまり、人感センサにより人体の存在が検出されると（ステップＳ１６）、光源４が調光点灯（調光レベル２５％）から全光点灯（調光レベル１００％）となり（ステップＳ１７）、人体の存在の検出がなくなってから図７（ｄ）のｔ７で示すように６０秒間全光点灯が継続され（ステップＳ１８）、その後、元の調光点灯状態となる（ステップＳ１５）。また、８時間経過すると（ステップ６）、「ＯＮ／ＯＦＦ動作モード」の状態に移行する（ステップ７）。
【００５９】
なお、電源を投入して、スタートから周囲の照度が低下し、１５（ルクス）ｌｘ以下になるまでのステップ（図７（ｄ）におけるｔ１、ｔ２、図８におけるスタート、ステップＳ１からステップＳ４まで）及び調光点灯状態が８時間経過する以降のステップ（図７（ｄ）におけるｔ５、図８におけるステップＳ６以降）は、前述のＯＮ／ＯＦＦ動作モードと同様である。
【００６０】
以上のように８時間調光動作モードによれば、前述のＯＮ／ＯＦＦ動作モードの作用効果に加え、８時間の調光点灯状態において、人体の存在が検出により光源４を全光点灯／消灯できるので、一層消費電力を低減して適切な照明の制御を確保することができる。
【００６１】
なお、上記の各動作モードにおいて、第１の所定時間、第２の所定時間、第３の所定時間との関係は、第３の所定時間＜第１の所定時間＜第２の所定時間の関係にある。
【００６２】
次に、本実施形態の照明制御装置１０が備えている他の動作モードについて説明する。他の動作モードとしては、「連続８時間点灯動作モード」及び「テスト動作モード」がある。
【００６３】
「連続８時間点灯動作モード」は、光源４を８時間連続点灯状態とする動作モードである。電源投入後、照明制御装置１０に接続された壁スイッチを操作し動作させることによりこの動作モードとすることができる。具体的には、壁スイッチで電源ＯＦＦ、ＯＮの操作を０．１秒以上１．０秒以内で行うことにより連続８時間点灯動作モードとすることができる。また、８時間の点灯中に再度前記のように壁スイッチを操作すると、点灯時間が更新され最後の操作から８時間の点灯がなされる。さらに、連続８時間の点灯後は、自動的に通常消灯状態に制御される。さらにまた、壁スイッチで電源を１秒以上ＯＦＦした場合には、必ず初期化され、通常消灯状態に戻るように動作する。
【００６４】
「テスト動作モード」は、主として人感センサが正常に機能するか否かを検査する動作モードである。電源投入後のセットアップ点灯が終了した状態で、センサ装置３に設けられた選択スイッチを左右にスライド操作し、２秒以内に２回以上各動作モード（ＯＮ／ＯＦＦ動作モード、８時間タイマー動作モード及び８時間調光動作モード）へ切り換えられたことが制御処理手段１１によって認識されるとテスト動作モードとなる。このテスト動作モードにおいては、照度センサとは無関係に動作し、人感センサにより人体の存在が検出されると光源４が点灯され、人体の存在の検出がなくなってから５秒間点灯が継続される。また、テスト動作モードの継続時間は３分間であり、この３分間の経過後は、自動的に通常消灯状態に戻るようになっている。
【００６５】
なお、本発明は、上記実施形態の構成に限定されることなく、発明の要旨を逸脱しない範囲で種々の変形が可能である。また、上記実施形態は、一例として提示したものであり、発明の範囲を限定することは意図していない。
【００６６】
例えば、本実施形態におけるタイムチャート及びフローチャートは、動作を示す一例を示したに過ぎず、動作ステップの順序は要旨を逸脱しない限り適宜変更可能である。
【００６７】
また、本実施形態においては、第１の制御状態としては通常消灯状態、第２の制御状態としてはＯＮ／ＯＦＦ動作モード状態、第１の所定時間としては光源の点灯時間の８時間、第２の所定時間としてはＯＮ／ＯＦＦ動作モード状態の待機消灯状態からの経過時間の１０時間、第３の所定時間としては周囲の照度が４５（ルクス）ｌｘ以上になる継続時間の１時間を指しているが、第１の制御状態、第２の制御状態、第１の所定時間や第２の所定時間というのは、画一的に決められた制御状態、所定時間に特定されるものではない。また、具体的にこれら時間、照度の数値も格別限定されるものではない。
【００６８】
例えば、点灯時間の８時間は６時間〜１０時間、経過時間の１０時間は８時間〜１２時間、継続時間の１時間は４５分〜１時間２０分、所定の照度以下は１２（ルクス）ｌｘ以下〜１８（ルクス）ｌｘ以下、所定の照度以上は、３６（ルクス）ｌｘ以上〜５４（ルクス）ｌｘ以上に設定することができる。
さらに、照明器具は、玄関等に使用される照明器具に限らない。屋内及び屋外で使用される各種照明器具に適用することができる。
【符号の説明】
【００６９】
１・・・照明器具
２・・・器具本体
３・・・センサ装置
４・・・照明負荷（光源）
５・・・グローブ
１０・・・照明制御装置
１１・・・制御処理手段
１２・・・モード選択手段
１３・・・負荷駆動回路
１４・・・電源回路
２１・・・本体部材
２２・・・フランジ部材
３１・・・照度検知手段
３２・・・人体検知手段
３３・・・焦光レンズ
【図１】
2017016892.tif 000003
【図２】
2017016892.tif 000004
【図３】
2017016892.tif 000005
【図４】
2017016892.tif 000006
【図５】
2017016892.tif 000007
【図６】
2017016892.tif 000008
【図７】
2017016892.tif 000009
【図８】
2017016892.tif 000010